(57)【特許請求の範囲】
【請求項１】
左右一対のカップ部と、左右のカップ部を連結する前側土台部と、前側土台部の両脇から背中側へ延びる左右一対の後側バンド部と、前記カップ部から後側バンド部に両端を連結された左右の肩ひも部とを備えたブラジャーであって、
前記肩ひも部が、端部の始末不要な伸縮性生地を用いており、
前記肩ひも部は、左側肩ひも部と右側肩ひも部とで分離して形成され、
前記左側肩ひも部と前記右側肩ひも部とは、着用時の正面視で前記ブラジャーの脇刳り最下点以下の位置において前記前側土台部を介して連結され、
前記左側の肩ひも部の前側は前記左右一対の左側のカップ部を覆う程度の幅を備え、
前記右側の肩ひも部の前側は前記左右一対の右側のカップ部を覆う程度の幅を備えることを特徴するブラジャー。
【請求項２】
前記肩ひも部の前側の端部が前記カップ部の下辺に縫着されていることを特徴とする請求項１に記載のブラジャー。
【請求項３】
前記肩ひも部の前側の端部が前記カップ部の下辺に縫着されるとともに前記カップ部の上辺に縫着部を備えないことを特徴とする請求項１に記載のブラジャー。
【請求項４】
各前記左右の肩ひも部の背中側は脇部から前記後側バンド部の中央部近傍までの幅を備え、かつ、前記肩ひも部の背中側の端部が前記後側バンド部の上辺に縫着されていることを特徴とする請求項１〜請求項３のいずれかに記載のブラジャー。
【請求項５】
前記前側土台部は、その表側が伸縮性生地で構成され、その裏側が非伸縮性生地で構成され、
前記前側土台部および前記カップ部以外は、端部の始末不要な伸縮性生地を用いていることを特徴する請求項１〜請求項４のいずれかに記載のブラジャー。
【発明の詳細な説明】
【技術分野】
【０００１】
本発明は、着用中の着心地が良く、かつ、外衣を通してブラジャーの一部が外観に現れることを軽減できるようにしたブラジャーに関するものである。
【背景技術】
【０００２】
一般のブラジャは、一対のカップを乳房（バスト）に被せ、カップの上端に肩ひも（ストラップ）を接続して肩に掛けることによりカップを吊り上げ、カップの外側端にバックバンド（背バンド）を接続して背中で連結し、カップを乳房に密着させ、このようなカップの吊り上げ及び密着機能によって乳房を整形している。
このようなブラジャーに対して、近年、整形効果のみならず、着用時の装着感の向上が求められるようになり、適度の伸縮性があって身体に気持ちよくフィットし、かつ、下着のヘムラインが外衣を通して外観に現れない、ファッショナブルな要求が大きい。従来のブラジャーを含め一般的に衣類では裁ち目が解れるのを防止するために何らかの始末（縁の始末（へム処理））をする必要があった。たとえば、布端を折り返したり、別布や伸縮テープを付けて縫合したり、糸かがりを行っていた。このようにヘム処理されたブラジャーでは、その処理ライン（ヘムライン）が凸条になって外衣に現れたり、着用感を損なうなどの問題になっている。
【０００３】
このような問題に対して、従来から存在する、端部の始末不要なパワーネット生地によりブラジャーの各部を構成すれば、その部分については縫合部分の盛り上がりがなく、薄手の外衣を着用した場合も、外衣を通してブラジャーの一部が外観に現れることが軽減されて、身体の線を美しく見せることができる。
このような端部の始末不要なパワーネット生地を、（１）バック布（後側バンド部、サイドベルト）に設けたブラジャーを開示する特許第４２６１７９１号公報（特許文献１）、（２）特に限定しないで、カップ部、ストラップ（肩ひも）、左右脇線に設けたカップ土台布（サイドボーン）に設けたブラジャーを開示する実用新案登録第３１５０１９６号公報（特許文献２）、（３）左右の背面部（後側バンド部、サイドベルト）に設けたブラジャーを開示する特開２０１３−０５３３９４号公報（特許文献３）、がある。
【先行技術文献】
【特許文献】
【０００４】
【特許文献１】特許第４２６１７９１号公報
【特許文献２】実用新案登録第３１５０１９６号公報
【特許文献３】特開２０１３−０５３３９４号公報
【発明の概要】
【発明が解決しようとする課題】
【０００５】
しかしながら、特許文献１および特許文献３に開示されたブラジャーは、背中側のサイドベルトに、端部の始末不要なパワーネット生地を単に採用したものに過ぎず、ブラジャーのそれ以外の部分が外衣を通して外観に現れることを軽減することができない。すなわち、たとえばストラップには非伸縮性のレース生地またはパイピングテープ等が採用されることが通常であって、肌に喰い込んだり、ストラップが外衣を通して外観に現れる等の問題が解決できていない。
【０００６】
特許文献２に開示されたブラジャーは、端部の始末不要なパワーネット生地のブラジャーへの採用箇所を限定しないで、カップ部、ストラップ、サイドボーンへ採用することを開示しているに過ぎない。採用箇所については外衣を通して外観に現れることを軽減することができても、採用箇所を限定しないでパワーネットを採用しているために以下に示す問題が発生する。
【０００７】
この特許文献２に開示されたブラジャーのように、カップ部および／またはサイドボーンへ伸縮性に優れている（よく伸び縮みする）パワーネットを単に採用したのでは、伸縮性が優れているために乳房を保形する機能が低減してしまう。さらに、この特許文献２に開示されたブラジャーのように、パワーネットをストラップへ単に採用したのでは、着用
時にカップ部を吊り上げる力がストラップが接続されたカップ部の上縁一部に集中するため、伸縮性が優れているパワーネットのストラップを採用したことも相俟ってカップ部の位置ずれ（ずり下がり、ずり上がり）という問題、ストラップの肌への喰い込みが発生するという問題がある。すなわち、この特許文献２に開示されたブラジャーは、カップ部が土台部に一体状態で縫着され、かつ、このカップ部の上縁の一部分をストラップで後側バンド部に連結しているために、カップ部の上縁の一部分に乳房の全重量が集中してしまう。
【０００８】
本発明は、従来技術の上述の問題点に鑑みて開発されたものであり、その目的とするところは、着用中の着心地が良く、かつ、外衣を通してブラジャーの一部が外観に現れることを軽減できるようにしたブラジャーを提供することである。
【課題を解決するための手段】
【０００９】
上記目的を達成するため、本発明に係るブラジャーは以下の技術的手段を講じている。
すなわち、本発明に係るブラジャーは、左右一対のカップ部と、左右のカップ部を連結する前側土台部と、前側土台部の両脇から背中側へ延びる左右一対の後側バンド部と、前記カップ部から後側バンド部に両端を連結された左右の肩ひも部とを備えたブラジャーであって、前記肩ひも部が、端部の始末不要な伸縮性生地を用いていることを特徴する。
【００１０】
好ましくは、各前記左右の肩ひも部の前側は前記カップ部を覆う程度の幅を備え、かつ、前記肩ひも部の前側の端部が前記カップ部の下辺に縫着されているように構成することができる。
さらに好ましくは、各前記左右の肩ひも部の前側は前記カップ部を覆う程度の幅を備え、かつ、前記肩ひも部の前側の端部が前記カップ部の下辺に縫着されるとともに前記カップ部の上辺に縫着部を備えないように構成することができる。
【００１１】
さらに好ましくは、各前記左右の肩ひも部の背中側は脇部から前記後側バンド部の中央部近傍までの幅を備え、かつ、前記肩ひも部の背中側の端部が前記後側バンド部の上辺に縫着されているように構成することができる。
さらに好ましくは、前記前側土台部は、その表側が伸縮性生地で構成され、その裏側が非伸縮性生地で構成され、前記後側バンド部は、端部の始末不要な伸縮性生地を用いているように構成することができる。
【００１２】
さらに好ましくは、前記前側土台部は、その表側が伸縮性生地で構成され、その裏側が非伸縮性生地で構成され、前記前側土台部および前記カップ部以外は、端部の始末不要な伸縮性生地を用いているように構成することができる。
【発明の効果】
【００１３】
本発明によれば、着用中の着心地が良く、かつ、外衣を通してブラジャーの一部が外観に現れることを軽減できるようにしたブラジャーを提供することができる。
【図面の簡単な説明】
【００１４】
【図１】本発明の実施の形態に係るブラジャーを着用した斜視図（前側：腹側）である。
【図２】本発明の実施の形態に係るブラジャーを着用した斜視図（後側：背中側）である。
【図３】本発明の実施の形態に係るブラジャーを着用した正面図である。
【図４】本発明の実施の形態に係るブラジャーを着用した背面図である。
【図５】図３の拡大図である。
【図６】図４のＡ部拡大図（図面代用写真）である。
【発明を実施するための形態】
【００１５】
以下、本発明の実施の形態に係るパワーネット生地を用いたブラジャー１００について、図面に基づき詳しく説明する。本実施の形態に係るブラジャー１００に使用されるパワーネット（生地）とは、ＪＩＳ  Ｌ０２１４に「弾性糸などを編み込み経方向に対して著しい弾性力を与えた編みレース」と定義されている。そして、このブラジャー１００に使用されるパワーネットは、経編地であって、端部の始末不要な、ヘムパワーネットであることを特徴とする。
【００１６】
図１〜図４に本実施の形態に係るブラジャー１００を着用した図を示す。図１は前側（腹側）の斜視図であって、図２は後側（背中側）の斜視図であって、図３は正面図であって、図４は背面図である。
また、図３の拡大図を図５に示す。図５においては、左側カップ部１５０（紙面向かって右側）はカップ部１５０を覆う肩ひも部１３０（より詳しくは前側ストラップ１３４）を取り外した状態であって、右側カップ部１５０（紙面向かって左側）はカップ部１５０を覆う肩ひも部１３０（より詳しくは前側ストラップ１３４）を取り外していない状態の正面図である。
【００１７】
このブラジャー１００は、大きく分けて、左右一対のカップ部（単にカップと呼ばれる場合もある）１５０と、左右のカップ部１５０を連結する前側土台部１１０と、前側土台部１１０の両脇（詳しくは後述するようにサイドボーン１２０）から背中側へ延びる左右一対の後側バンド部（サイドベルトと呼ばれる場合もある）１６０と、カップ部１５０から後側バンド部１６０に両端を連結された左右の肩ひも部（ストラップと呼ばれる場合もある）１３０と、背中側に設けられたホック１４０とを備える。
【００１８】
なお、このブラジャー１００においては、前側土台部１１０はカップ部１５０の下辺に沿って脇側まで延設されサイドボーン１２０と一体化されている。このサイドボーン１２０に後側バンド部１６０が図１および図２に示す縫着線１６０Ｓの位置で縫着されている。また、ホック１４０は背中側ではなく前側（腹側）等であっても構わない。
肩ひも部１３０は、中央部分で肩に当接する幅が狭い肩部ストラップ１３２と、腹側においてカップ部１５０を覆うとともにカップ部１５０の下辺と縫着される幅が広い前側ストラップ１３４と、背中側において後側バンド部１６０の上辺と縫着される幅が広い後側ストラップ１３６とで構成される。
【００１９】
カップ部１５０は乳房を包み、乳房を支持して美しいシルエットを保持する。後側バンド部１６０はカップ部１５０を胸に固定するとともに、同時に脇部分を補整する。ホック１４０はブラジャー１００の全体を固定する。
このような基本的な構造を備えたブラジャー１００の特徴は、肩ひも部１３０が、端部の始末不要な伸縮性生地（ヘムパワーネット）を用いていることである。
【００２０】
さらに、図１、図３および図５に示すように、前側（腹側）においては、各左右の肩ひも部１３０の前側（前側ストラップ１３４）はカップ部１５０を覆う程度の幅を備え、かつ、肩ひも部１３０の前側の端部がカップ部１５０の下辺に縫着されるとともにカップ部１５０の上辺に縫着部を備えないことを特徴とする。
さらに、図２および図４に示すように、後側（背中側）においては、各左右の肩ひも部１３０の背中側（後側ストラップ１３６）は脇部から後側バンド部１６０の中央部近傍（すなわちホック１４０）までの幅を備え、かつ、肩ひも部１３０の背中側の端部が後側バンド部１６０の上辺に縫着されていることを特徴とする。
【００２１】
さらに、前側土台部１１０（前側土台部１１０にはサイドボーン１２０を含むため正確には前側土台部１１０およびサイドボーン１２０）は、その表側がヘムパワーネットで構成され、その裏側がマーキゼット等の非伸縮性生地で構成され、後側バンド部１６０はヘムパワーネットを用い、さらには前側土台部１１０（前側土台部１１０およびサイドボーン１２０）ならびにカップ部１５０以外は、ヘムパワーネットを用いていることを特徴する。このように、前側土台部１１０（前側土台部１１０およびサイドボーン１２０）ならびにカップ部１５０以外をヘムパワーネットで構成し、前側土台部１１０（前側土台部１１０およびサイドボーン１２０）の表側をヘムパワーネットで構成し、カップ部１５０を前側ストラップ１３４で覆うことにより、このブラジャー１００の表側（着用時における非肌側）は、全てヘムパワーネットで覆われることになる。すなわち、図１および図２において外部から視認できる全ての生地がヘムパワーネットとなる。
【００２２】
このような特徴を含めて、このブラジャー１００の各部分を詳しく説明する。
前側土台部１１０はブラジャー１００の中央部分であって、前側土台部１１０はブラジャー１００の中央部分から両脇に向けてカップ部１５０の下辺に沿って伸びており、脇側でサイドボーン１２０を構成している。このサイドボーン１２０は、ブラジャー１００の
機能の一つである、脇側に流れてしまいがちな脂肪を逃がさないように、その表側がヘムパワーネットで構成され、その裏側がマーキゼット等の非伸縮性生地で構成されており、マーキゼットの非伸縮性により、乳房をしっかりすくい上げ、美しい乳房の形と、キレイな谷間を作り上げる。すなわち、サイドボーン１２０により、乳房がすっきりとブラジャー１００の中に納まるとともに、寄せ上げ効果を発現して、乳房を形良く保形することができる。
【００２３】
肩ひも部１３０は、肩から、カップ１５０を含めたブラジャー１００全体を支え、ブラジャー１００が下にずれ落ちないようにする。なお、このブラジャー１００は肩ひも部１３０の長さを調節するための樹脂または金具部分（アジャスター）を備えていないが、備えていても構わない。
ホック１４０は、ブラジャー１００を止める樹脂または金具部分であって、多くの場合に背中側にあるのが一般的である。なお、本発明が適用可能なブラジャーは、カップ１５０の左右にホックのあるフロントホックタイプや、バックスタイルをすっきり見せるサイドホックタイプなどのブラジャーであっても構わない。
【００２４】
カップ部１５０は、乳房を包み込む、お椀の形の部分であって、乳房に合わせて左右対称に１つずつで構成される。このカップ部１５０は、立体的なお椀の形状を備えるために、たとえば３つの生地１５２、生地１５４、生地１５６を縫合して立体的な形状を構成している。ここで、多くの場合、これらの生地の内部には、柔らかい素材が内包される。なお、カップの形状により、大きく３つのタイプ(フルカップ、３／４カップ、１／２カップ)に分けられ、本発明が適用可能なブラジャーは、いずれのカップの形状のブラジャーであっても構わない。
【００２５】
カップ部１５０の上辺の曲線部分（ここではエッジラインと呼ぶ）１７０は、乳房に沿って谷間を形成する機能を備える。なお、このエッジライン１７０の部分には前側ストラップ１３４が縫着されていない。カップ部１５０の下辺の曲線部分（ここではアンダーラインと呼ぶ）１８０に、前側ストラップ１３４が縫着されている。
なお、このブラジャー１００においては、肩ひも部１３０の前側ストラップ１３４がカップ部１５０の下辺（アンダーライン１８０）でカップ部１５０と縫着されて乳房をすくい上げているので、バージスライン（アンダーライン１８０近傍）に沿って乳房を支えるワイヤーであるアンダーワイヤーを設ける必要がない点で、ワイヤーの硬さ等を嫌うユーザには着用感が向上する点で好ましい。しかしながら、本発明が適用可能なブラジャーが、アンダーワイヤーを備えていても構わない。
【００２６】
後側バンド部１６０は、カップ部１５０から脇に繋がるベルト部分であって、カップ部１５０を乳房に固定するとともに脇部分を補整する機能を発現する。
以下において、このような大略的構成を備えたブラジャー１００において、このブラジャー１００の肩ひも部１３０が、端部の始末不要な伸縮性生地（ヘムパワーネット）を用いているという特徴について詳しく説明する。
【００２７】
上述したように、肩ひも部１３０は、中央部分で肩に当接する肩部ストラップ１３２と、腹側においてカップ部１５０を覆うとともにカップ部１５０の下辺（アンダーライン１８０）と縫着される前側ストラップ１３４と、背中側において後側バンド部１６０の上辺と縫着される後側ストラップ１３６とで構成される。前側ストラップ１３４はお椀形状のカップ部１５０を覆うために立体的に縫製されており、平面状の前側ストラップ１３４を縫着線１３４Ｒにより立体形状に構成している。
【００２８】
そして、図４および図４のＡ部拡大図である図６に示すように、肩部ストラップ１３２においては、始末不要な端部１３２Ｃが背骨側に、布端を折り返したり、別布や伸縮テープを付けて縫合されたり糸かがりを行われたりしたヘム処理端部１３２Ｓが脇側になるように設けられている。端部１３２Ｃは、経編地の所定のラインに沿って切断して、切断後の切りっぱなしの状態でヘム処理していない。また、図１および図３に示すように、肩部ストラップ１３２においても、始末不要な端部１３２Ｃが身体中心線側になるように設けられている。さらに、図２および図４に示すように、後側バンド部１６０においても、始末不要な端部１６０Ｃが下側になるように設けられている。
【００２９】
さらに、図３に示すように腹側において前側ストラップ１３４は、カップ部１５０を覆うとともにカップ部１５０の（エッジライン１７０で縫着されないで）アンダーライン１８０で縫着されており、図４に示すように背中側において後側ストラップ１３６は、後側バンド部１６０の上辺の全体と縫着されている。なお、前側ストラップ１３４とサイドボーン１２０とカップ部１５０の側部とが、図１および図２に示す領域１５０Ｓで縫着されている。図１および図２に示すように、肩ひも部１３０（肩部ストラップ１３２、前側ストラップ１３４および後側ストラップ１３６）と、後側バンド部１６０の上辺の一部と、サイドボーン１２０の上部とにより、ヘム処理されたヘム処理端部により脇から肩にかけての周囲（袖口部分に対応）が形成される。
【００３０】
このようにカップ部１５０の下辺全体（アンダーライン１８０）と肩ひも部１３０の前側ストラップ１３４とを縫着し、かつ、後側バンド部１６０の上辺全体と肩ひも部１３０の後側ストラップ１３６とを縫着したので、このブラジャー１００の着用時にカップ部１５０を吊り上げる力が前側でも後側でも分散させることができるため、カップ部１５０のずり上がりや肩ひも部１３０が肌に喰い込むことを軽減することができる。
【００３１】
そして、図２および図４に示すように、背中側において、肩部ストラップ１３２における背骨側の端部１３２Ｃ、および、後側バンド部１６０における下側の端部１６０Ｃが、始末不要な切りっぱなしの状態でヘム処理されていないので、外衣を通してブラジャー１００の一部が外観に現れることを軽減することができるとともに（端部１３２Ｃおよび端部１６０Ｃがヘム処理されていないので背中をキレイに見せることができるとともに）、上述のようにカップ部１５０を吊り上げる力が分散させることに加えてヘム処理されていないために、肩部ストラップ１３２および後側バンド部１６０が肌（背中）に喰い込むことを軽減することができる。
【００３２】
また、図１および図３に示すように、前側において、肩部ストラップ１３２における身体中心側の端部１３２Ｃが、始末不要な切りっぱなしの状態でヘム処理されていないので、外衣を通してブラジャー１００の一部が外観に現れることを軽減することができるとともに（端部１３２Ｃがヘム処理されていないので乳房の谷間をキレイに見せることができるとともに）、上述のようにカップ部１５０を吊り上げる力が分散させることに加えてヘム処理されていないために、肩部ストラップ１３２が肌（乳房）に喰い込むことを軽減することができる。
【００３３】
以上のようにして、本実施の形態に係るブラジャーによると、始末不要な切りっぱなしの状態でヘム処理されていないヘムパワーネットを肩ひも部または／および後側バンド部に採用し、肩ひも部の前側をカップ部の上側ではなく下辺の全体で縫着し、かつ、肩ひも部の後側を後側バンド部の一部ではなく上辺の全体で縫着したため、カップ部を吊り上げる力が分散させることができ、また、ヘム処理されていないために、肩部ストラップおよび後側バンド部が肌に喰い込むことを軽減することができる。その結果、このブラジャーの着用中の着心地が向上する。さらに、始末不要な切りっぱなしの状態でヘム処理されていないヘムパワーネットを肩ひも部または／および後側バンド部に採用したために、外衣を通してブラジャーの一部が外観に現れることを軽減でき、特に背中部分をすっきりキレイに見せることができる。
【００３４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
変更例として、たとえば、上述したブラジャー１００においては、前側ストラップ１３４がカップ部１５０を覆うとともにカップ部１５０の（エッジライン１７０で縫着されないで）アンダーライン１８０で縫着されているとしたが、前側ストラップ１３４がカップ部１５０のエッジライン１７０の一部で縫着されていても構わない。このような変形例として、図１〜図３に示す領域１５０Ｕにおいてカップ部１５０と前側ストラップ１３４とが縫着されたブラジャーが挙げられる。この場合において、領域１５０Ｕにおいてカップ部１５０は少なくともアンダーライン１８０ではなくエッジライン１７０の近傍であり、
そのため、領域１５０Ｕはエッジライン１７０の一部とも認識することができ、前側ストラップ１３４がカップ部１５０のエッジライン１７０で縫着されない上述したブラジャー１００とは異なる構成となる。
【産業上の利用可能性】
【００３５】
本発明は、ブラジャーに好適であり、着用中の着心地が良く、かつ、外衣を通してブラジャーの一部が外観に現れることを軽減できる点で特に好適である。
【符号の説明】
【００３６】
１００  ブラジャー
１１０  前側土台部
１２０  サイドボーン
１３０  肩ひも部（ストラップ）
１３２  肩部ストラップ
１３４  前側ストラップ
１３６  後側ストラップ
１４０  ホック
１５０  カップ部（カップ）
１６０  後側バンド部（サイドベルト）
１７０  エッジライン
１８０  アンダーライン
【図１】
0006333114.tif 000002
【図２】
0006333114.tif 000003
【図３】
0006333114.tif 000004
【図４】
0006333114.tif 000005
【図５】
0006333114.tif 000006
【図６】
0006333114.tif 000007